(57)【要約】【課題】ガラス板又はガラスタイルの表面の光触媒を十分に励起させることができるガラス板アッセンブリ、ガラス板表面の光触媒の活性化方法及びタイル施工構造を提供する。【解決手段】ガラス板４の室内側の表面には酸化チタンなどの光触媒層５が設けられ、室外側の表面にはＵＶカットフィルム等よりなるＵＶカット層６が設けられている。１次コイル１１に交流を通電すると２次コイル１０に誘導電流が流れ、ＵＶＬＥＤ８が紫外線を発光する。この紫外線は、ガラス板４内に入射し、全反射をくり返しながらガラス板４の全面に行き渡る。この紫外線が当ることにより、光触媒層５が励起され、光触媒作用が奏される。例えば、ガラス万４の室内側に結露等により水が付くと、薄く広がり、水滴状となることがなく、防曇あるいは水垢防止作用が奏される。【選択図】図２
2006315892.tif 000002
【特許請求の範囲】
【請求項１】
紫外線透過性を有したガラス板と、該ガラス板の端面からガラス板内に紫外線を入射させる紫外線光源とを有するガラス板アッセンブリであって、
該ガラス板の少なくとも一方の板面に光触媒が設けられていることを特徴とするガラス板アッセンブリ。
【請求項２】
請求項１において、前記ガラス板の少なくとも一部を囲む枠が設けられており、該枠に前記紫外線光源が設けられていることを特徴とするガラス板アッセンブリ。
【請求項３】
請求項２において、該紫外線光源に対して給電するための２次コイルが一体に設けられていることを特徴とするガラス板アッセンブリ。
【請求項４】
請求項１ないし３のいずれか１項において、該ガラス板の一方の板面に光触媒が設けられ、他方の板面に紫外線カット層が設けられていることを特徴とするガラス板アッセンブリ。
【請求項５】
少なくとも一方の板面に光触媒が設けられたガラス板の端面から紫外線を該ガラス板内に入射させ、この紫外線を該光触媒に当てることを特徴とするガラス板表面の光触媒の活性化方法。
【請求項６】
下地板に紫外線透過性を有した複数枚のガラスタイルが目地間隙をあけて張り付けられ、該目地間隙に目地材が充填されたタイル施工構造において、
該ガラスタイルの前面に光触媒が設けられており、
該目地材は紫外線透過性を有しており、
一部の該ガラスタイルの端面から該ガラスタイル内に紫外線を入射させる紫外線光源が設置されていることを特徴とするタイル施工構造。
【請求項７】
請求項６において、該目地材は紫外線透過性を有したガラスビーズを含有することを特徴とするタイル施工構造。
【請求項８】
請求項６又は７において、該目地材の少なくとも前面側に光触媒が存在することを特徴とするタイル施工構造。
【発明の詳細な説明】
【技術分野】
【０００１】
本発明は表面に光触媒を設けたガラス板又はガラスタイルの利用に関するものであり、特にこの光触媒を紫外線で活性化するようにしたガラス板アッセンブリ、ガラス板表面の光触媒の活性化方法及びタイル施工構造に関するものである。
【背景技術】
【０００２】
酸化チタンなどの光触媒が超親水性を示したり、紫外線によって励起したときには活性酸素を発生し、付着している有機物を酸化分解する等の作用を奏することは周知である。
【０００３】
ガラス板の表面に光触媒を設ける公知文献として特開２００２−１２７３１０号がある。同号では、ガラス板の表面に熱線反射層を設け、その上に光触媒層を設けている。この光触媒層が有する親水性により、ガラス板表面に水滴が付着することが防止される。
【０００４】
ガラス板の側端面から光をガラス板に入射させる公知文献として特開２００４−１２９４６号がある。同号では、ガラスの内部にマイクロクラック等の乱反射部分を設け、側端面からの光をガラス表面側へ散乱させ、ガラス板全体を発光板として機能させうるようにしている。
【特許文献１】特開２００２−１２７３１０号
【特許文献２】特開２００４−１２９４６号
【発明の開示】
【発明が解決しようとする課題】
【０００５】
本発明は、ガラス板又はガラスタイルの表面の光触媒を十分に励起させることができるガラス板アッセンブリ、ガラス板表面の光触媒の活性化方法及びタイル施工構造を提供することを目的とする。
【課題を解決するための手段】
【０００６】
請求項１のガラス板アッセンブリは、紫外線透過性を有したガラス板と、該ガラス板の端面からガラス板内に紫外線を入射させる紫外線光源とを有するガラス板アッセンブリであって、該ガラス板の少なくとも一方の板面に光触媒が設けられていることを特徴とするものである。
【０００７】
請求項２のガラス板アッセンブリは、請求項１において、前記ガラス板の少なくとも一部を囲む枠が設けられており、該枠に前記紫外線光源が設けられていることを特徴とするものである。
【０００８】
請求項３のガラス板アッセンブリは、請求項２において、該紫外線光源に対して給電するための２次コイルが一体に設けられていることを特徴とするものである。
【０００９】
請求項４のガラス板アッセンブリは、請求項１ないし３のいずれか１項において、該ガラス板の一方の板面に光触媒が設けられ、他方の板面に紫外線カット層が設けられていることを特徴とするものである。
【００１０】
請求項５のガラス板表面の光触媒の活性化方法は、少なくとも一方の板面に光触媒が設けられたガラス板の端面から紫外線を該ガラス板内に入射させ、この紫外線を該光触媒に当てることを特徴とするものである。
【００１１】
請求項６のタイル施工構造は、下地板に紫外線透過性を有した複数枚のガラスタイルが目地間隙をあけて張り付けられ、該目地間隙に目地材が充填されたタイル施工構造において、該ガラスタイルの前面に光触媒が設けられており、該目地材は紫外線透過性を有しており、一部の該ガラスタイルの端面から該ガラスタイル内に紫外線を入射させる紫外線光源が設置されていることを特徴とするものである。
【００１２】
請求項７のタイル施工構造は、請求項６において、該目地材は紫外線透過性を有したガラスビーズを含有することを特徴とするものである。
【００１３】
請求項８のタイル施工構造は、請求項６又は７において、該目地材の少なくとも前面側に光触媒が存在することを特徴とするものである。
【発明の効果】
【００１４】
請求項１のガラス板アッセンブリ及び請求項５のガラス板表面の光触媒の活性化方法では、ガラス板の端面から紫外線が入射され、この紫外線がガラス板表面の光触媒に当たることにより、光触媒が励起される。これにより、優れた防汚作用が奏される。
【００１５】
請求項２のガラス板アッセンブリでは、紫外線光源がガラス板と一体になっているから、ガラス板の施工が容易である。
【００１６】
請求項３のガラス板アッセンブリでは、この２次コイルに対峙させるようにして１次コイルを配置しておき、この１次コイルに交流を通電すると、２次コイルに誘導電流が流れ、紫外線光源が発光する。このガラス板アッセンブリは、該ガラス板アッセンブリを電源に直接に接続しないため、施工や交換等のメンテナンスが容易である。
【００１７】
請求項４のガラス板アッセンブリにあっては、例えば紫外線カット層が室外側となるようにこのガラス板を設置することにより、室外への紫外線漏洩を防止することができる。
【００１８】
請求項６のタイル施工構造にあっては、一部のガラスタイルの端面から紫外線を該ガラスタイル内に入射すると、この紫外線が紫外線透過性目地材を介して隣接ガラスタイルにも伝播するようになる。このため、紫外線光源を少なくしてもすべてのガラス板タイル表面の光触媒を励起させ、防汚することができる。
【００１９】
請求項７の通り、この紫外線透過性を有した目地材としては、紫外線透過性を有したガラスビーズを含むものが好適である。
【００２０】
請求項８の通り、この目地材にも光触媒を設けておくことにより、目地を防汚することもできる。
【発明を実施するための最良の形態】
【００２１】
以下、図面を参照して実施の形態について説明する。図１は実施の形態に係るガラス板アッセンブリを採用したガラス窓の正面図、図２は図１のII−II線断面図、図３は実施の形態に係るタイル施工構造を示す断面図である。
【００２２】
図１，２に示す窓は引き違い式窓であり、窓枠１にガラス戸２が左右方向スライド自在に装着されている。なお、本発明は、引き違い式以外の窓にも適用できる。
【００２３】
このガラス戸２は、戸枠３と、該戸枠３に嵌め込まれたガラス板４とを有する。ガラス板４の室内側の表面には酸化チタンなどの光触媒層５が設けられ、室外側の表面にはＵＶカットフィルム等よりなるＵＶカット層６が設けられている。
【００２４】
戸枠３の縦枠部の内部には、ガラス板４の端面に対峙して紫外線照射用ＵＶＬＥＤ８が設けられている。このＵＶＬＥＤ８は基板９に取り付けられており、この基板９の反対側の面には２次コイル１０が設けられている。この２次コイル１０はＵＶＬＥＤ８に給電可能に接続されている。窓枠１の縦枠部分には、この２次コイル１０に対峙するように１次コイル１１が設けられている。
【００２５】
このように構成されたガラス窓において、１次コイル１１に交流を通電すると２次コイル１０に誘導電流が流れ、この電流によりＵＶＬＥＤ８が紫外線を発光する。この紫外線は、ガラス板４内に入射し、全反射をくり返しながらガラス板４の全面に行き渡る。
【００２６】
この紫外線が当ることにより、光触媒層５が励起され、光触媒作用が奏される。例えば、ガラス板４の室内側に結露等により水が付くと、薄く広がり、水滴状となることがなく、防曇あるいは水垢防止作用が奏される。また、ガラス板４に有機物が付着している場合には、光触媒作用によって生じた活性酸素によって分解され、防カビあるいは防汚作用等が奏される。
【００２７】
この実施の形態ではガラス板４の室外側にＵＶカット層６が設けられているので、紫外線が外部に漏れることが防止される。また、１次コイル１１と２次コイル１０とによってＵＶＬＥＤ８に給電するため、ガラス戸を電源に接続することが不要であり、施工やメンテナンスが容易である。
【００２８】
図１，２は本発明の一例を示すものであり、本発明は他の態様をもとりうる。例えば、ＵＶＬＥＤの代わりに有機ＥＬを用いてもよい。また、光触媒層５を室外側に設けてもよい。窓のタイプは引き違い式以外であってもよい。非開閉式の窓の場合、紫外線光源に対し商用電源から直に給電するように配線で接続してもよい。
【００２９】
図３はガラス壁の実施の形態を示す断面図である。
【００３０】
下地板２０に接着剤２１によって複数枚の紫外線透過性を有したガラスタイル２２が目地間隙をあけて張り付けられている。ガラスタイル２２の表面には光触媒層２３が設けられている。目地間隙には紫外線透過性を有した目地材２４が充填されている。この目地材２４の表面には光触媒層２４ａが設けられている。
【００３１】
ガラスタイル２２のうち、最も端に位置するガラスタイル２２の端面に対峙してＵＶＬＥＤ２５が設けられている。
【００３２】
このＵＶＬＥＤ２５が点灯すると、該ＵＶＬＥＤ２５からの紫外線がガラスタイル２２の端面からその内部に入射し、全反射をくり返すことによりガラスタイル２２の全体に行き渡る。また、ガラスタイル２２の他の端面に達したの紫外線の一部は、該端面から紫外線透過性目地材２４を通って、隣接するガラスタイル２２に入射し、さらに隣接するガラスタイル２２にも入射する。
【００３３】
この紫外線が当ることにより、光触媒層２３，２４ａの光触媒が励起し、結露防止、防カビ、防汚等の作用が奏される。
【００３４】
この実施の形態では、目地材２４が紫外線透過性を有しているため、一部のガラスタイル２２にＵＶＬＥＤを設けるだけで、複数のガラスタイル２２及び目地材２４の光触媒を励起させることができる。なおＵＶＬＥＤの代りに有機ＵＬ等を用いてもよい。
【００３５】
上記の紫外線透過性を有した目地材２４としては、紫外線透過性のガラスビーズを多量に含んだものが好適である。
【図面の簡単な説明】
【００３６】
【図１】図１は実施の形態に係るガラス板アッセンブリを採用したガラス窓の正面図である。
【図２】図１のII−II線断面図である。
【図３】実施の形態に係るタイル施工構造を示す断面図である。
【符号の説明】
【００３７】
４  ガラス板
５  光触媒層
８，２５  ＵＶＬＥＤ
１０  ２次コイル
１１  １次コイル
２２  ガラスタイル
２４  目地材
【図１】
2006315892.tif 000003
【図２】
2006315892.tif 000004
【図３】
2006315892.tif 000005